(57)【要約】【課題】  厚さへの対応が容易であり、しかも厚さが異なっても同じ内容の作業で間仕切り壁パネルを固定する。【解決手段】  間仕切り壁パネル３の上端部の両側に沿うように一対の保持レール１、２が配設され、保持レール間の間隔は調節可能とされ、保持レールによって間仕切り壁パネルの上端部が保持される。【選択図】図１
2007002536.tif 000002
【特許請求の範囲】
【請求項１】
間仕切り壁パネルの上端部の両側に沿うように一対の保持レールが配設され、保持レール間の間隔は調節可能とされ、保持レールによって間仕切り壁パネルの上端部が保持されることを特徴とする間仕切り壁パネルの固定構造。
【請求項２】
保持レール間に弾性体が介在し、弾性体は間仕切り壁パネルの上方に配置され、一方の保持レールの取付位置が決められ、他方の保持レールは取付位置を可変とされ、保持レールを弾性体に圧接させる程度を調節することにより保持レール間の間隔を調節し、間仕切り壁パネルの厚さに一致させ、保持レールによって間仕切り壁パネルの上端部を挟持する請求項１記載の間仕切り壁パネルの固定構造。
【請求項３】
保持レール間にネジ孔を有する保持レール取付部材が介在し、保持レール取付部材は間仕切り壁パネルの上方に配置され、一方の保持レールは固定用とされ、ネジにより保持レール取付部材に固定され、他方の保持レールは間隔調節用とされ、間隔調節用の保持レールを保持レール取付部材に取り付ける位置をネジのねじ込み量によって調節し、保持レール間の間隔を調節して間仕切り壁パネルの厚さに一致させ、保持レールによって間仕切り壁パネルの上端部を挟持する請求項１記載の間仕切り壁パネルの固定構造。
【請求項４】
間仕切り壁パネルの上端部に凹部が設けられ、凹部の内部に保持レールが配置され、一方の保持レールは間仕切り壁パネルの一方の面材の裏面に当接して固定されるとともに、ネジ保持部を有し、他方の保持レールは、厚さ方向に貫通するネジ穴を有し、ネジ穴に螺合し、ネジ保持部に保持されるネジを回すことによりネジに沿って移動可能とされ、間仕切り壁パネルの他方の面材の裏面に当接するまで移動させて、保持レールを凹部内で突っ張らせ、間仕切り壁パネルの上端部を保持する請求項１記載の間仕切り壁パネルの固定構造。
【発明の詳細な説明】
【技術分野】
【０００１】
本願発明は、間仕切り壁パネルの固定構造に関する。
【背景技術】
【０００２】
間仕切り壁パネルの施工は、表裏両面からネジを天井下地および床下地に斜めにねじ込み固定するか、または、片面のみ面材が取り付けられている間仕切り壁パネルについては、枠の内部から天井下地および床下地に向けてネジをねじ込み、その後面材を枠に取り付けて仕上げるかのいずれかが一般的であった。
【０００３】
だが、ネジのねじ込み作業は手間のかかる面倒なものであるため、より簡便に、また、機能的に間仕切り壁パネルを施工することのできる方策の検討が進められている。
【０００４】
本出願人も、たとえば特許文献１に示したような間仕切り壁パネルの固定構造を提案している。特許文献１は、間仕切り壁パネルの上端部の固定構造に関するものであり、間仕切り壁パネルの上端部に上向きに付勢させた固定具を設け、固定具の頭部を天井下地に固定された固定レールの下向き開口部に嵌合固定するというものである。
【特許文献１】特開２００３−２７６３８号公報
【発明の開示】
【発明が解決しようとする課題】
【０００５】
特許文献１に記載された間仕切り壁パネル上端部固定構造は、荷重により床が撓むのに追従して間仕切り壁パネルが沈んでも、間仕切り壁パネルの沈み分だけ固定具が上方に伸びて沈みを吸収することができるという効果を有する。
【０００６】
一方、間仕切り壁パネルには厚さの異なる数種のものが規格品として存在するため、厚さに容易に対応して間仕切り壁パネルを固定することのできる構造が要望される。
【０００７】
本願発明は、このような事情に鑑みてなされたものであり、厚さへの対応が容易であり、しかも厚さが異なっても同じ内容の作業で間仕切り壁パネルを固定することのできる間仕切り壁パネルの固定構造を提供することを課題としている。
【課題を解決するための手段】
【０００８】
本願発明は、上記の課題を解決するために、第１には、間仕切り壁パネルの上端部の両側に沿うように一対の保持レールが配設され、保持レール間の間隔は調節可能とされ、保持レールによって間仕切り壁パネルの上端部が保持されることを特徴としている。
【０００９】
本願発明は、第２には、保持レール間に弾性体が介在し、弾性体は間仕切り壁パネルの上方に配置され、一方の保持レールの取付位置が決められ、他方の保持レールは取付位置を可変とされ、保持レールを弾性体に圧接させる程度を調節することにより保持レール間の間隔を調節し、間仕切り壁パネルの厚さに一致させ、保持レールによって間仕切り壁パネルの上端部を挟持することを特徴としている。
【００１０】
本願発明は、第３には、保持レール間にネジ孔を有する保持レール取付部材が介在し、保持レール取付部材は間仕切り壁パネルの上方に配置され、一方の保持レールは固定用とされ、ネジにより保持レール取付部材に固定され、他方の保持レールは間隔調節用とされ、間隔調節用の保持レールを保持レール取付部材に取り付ける位置をネジのねじ込み量によって調節し、保持レール間の間隔を調節して間仕切り壁パネルの厚さに一致させ、保持レールによって間仕切り壁パネルの上端部を挟持することを特徴としている。
【００１１】
本願発明は、第４には、間仕切り壁パネルの上端部に凹部が設けられ、凹部の内部に保持レールが配置され、一方の保持レールは間仕切り壁パネルの一方の面材の裏面に当接して固定されるとともに、ネジ保持部を有し、他方の保持レールは、厚さ方向に貫通するネジ穴を有し、ネジ穴に螺合し、ネジ保持部に保持されるネジを回すことによりネジに沿って移動可能とされ、間仕切り壁パネルの他方の面材の裏面に当接するまで移動させて、保持レールを凹部内で突っ張らせ、間仕切り壁パネルの上端部を保持することを特徴としている。
【発明の効果】
【００１２】
本願の第１の発明によれば、間隔の調整が可能な一対の保持レールによって間仕切り壁パネルの上端部が保持されるので、厚さの異なる間仕切り壁パネルに対して対応容易であり、同じ作業内容で間仕切り壁パネルの固定が可能となる。
【００１３】
本願の第２の発明によれば、保持レール間の間隔は、保持レール間に介在する弾性体に保持レールを圧接する程度を調節することにより調節することができるため、一対の保持レール間の間隔は容易に調節可能となる。保持レールと間仕切り壁パネルとの間には段差が形成されるが、この段差には、たとえば、間仕切り壁パネルに取り付けられた面材と同じ面材を増し貼りすることができ、外観および遮音性の向上が図られる。また、段差を有効に利用し、保持レールを廻り縁として兼用させることができる。
【００１４】
本願の第３の発明によれば、ネジのねじ込み量を調節することにより保持レール取付部材に取り付ける保持レールの位置が調節されるため、一対の保持レール間の間隔は容易に調節可能となる。保持レールと間仕切り壁パネルとの間には段差が形成されるが、この段差には、たとえば、間仕切り壁パネルに取り付けられた面材と同じ面材を増し貼りすることができ、外観および遮音性の向上が図られる。また、段差を有効に利用し、保持レールを廻り縁として兼用させることができる。
【００１５】
本願の第４の発明によれば、ネジを回すことにより保持レール間の間隔を調節することができるため、一対の保持レール間の間隔は容易に調節可能となる。間仕切り壁パネルの上端部を保持する状態では、保持レールは離間して配置されるため、固体伝播を防ぐことができ、遮音性が向上する。
【発明を実施するための最良の形態】
【００１６】
図１は、本願発明の間仕切り壁パネルの固定構造の一実施形態を示した要部断面図である。
【００１７】
一対の保持レール１、２が、間仕切り壁パネル３の上端部の両側に沿うように配設される。一方の保持レール１は、天井スラブ４から吊り具を介して配設された天井下地５に、たとえばネジ、ボルト等の固定具６により固定されている。他方の保持レール２は、保持レール１との間に配設される弾性体７に取付可能となっており、取付位置が可変とされている。弾性体７は圧縮変形可能であり、保持レール１、２のそれぞれに当接し、保持レール２の圧接の程度を調節することにより圧縮量が調節される。弾性体７の圧縮変形により保持レール１、２間の間隔が変化する。このような弾性体７は、間仕切り壁パネル３の上方に配置され、たとえば、天井下地５に釘、ネジ、接着剤、粘着剤等によって固定することができる。
【００１８】
間仕切り壁パネル３を施工する際には、一方の面材を保持レール１に接触させて配置する。この時、間仕切り壁パネル３の上端は弾性体７に接触させることができる。間仕切り壁パネル３の高さによっては、上端が、弾性体７との間で隙間が形成されるように位置することもあるが、一方の面材が保持レール１に接触している限り、特に問題はない。
【００１９】
保持レール２を保持レール１と対向させて弾性体７に当接させ、ネジ８を弾性体７に向かってねじ込む。ネジ８のねじ込みにしたがって弾性体７は保持レール１、２間で圧縮され、保持レール１、２に圧接する。ネジ８のねじ込みは、保持レール２が間仕切り壁パネル３の他方の面材に接触するまで行う。保持レール１、２間の間隔は間仕切り壁パネル３の厚さに一致し、間仕切り壁パネル３は保持レール１、２によって挟持される。
【００２０】
本実施形態では、保持レール１、２間の間隔を、保持レール１、２の間に介在する弾性体７に圧接する程度により調節することができる。このため、保持レール１、２間の間隔の調節は容易であり、保持レール１、２間の間隔を間仕切り壁パネル３の厚さに応じて可変とすることができる。厚さの異なる間仕切り壁パネル３の上端部を同じ作業内容で挟持することができる。この場合、保持レール１、２と間仕切り壁パネル３との間には、段差が形成されることになるが、この段差には、たとえば、間仕切り壁パネル３に取り付けられた石膏ボード等の面材を増し貼りすることができ、外観および遮音性の向上を図ることができる。また、段差は、有効に利用することもできる。たとえば、保持レール１、２を廻り縁と兼用することにより段差の有効利用が図れ、外観が向上する。
【００２１】
天井仕上げ材９は、間仕切り壁パネル３の施工後、天井下地５に取り付けることができる。
【００２２】
なお、本実施形態では、保持レール１を天井下地５に固定具６により固定しているが、保持レール１は、天井下地５には固定せずに、弾性体７の一側に固定することもできる。この場合、弾性体７は、天井下地５に固定されていることを前提とする。
【００２３】
図２は、本願発明の間仕切り壁パネルの固定構造の別の実施形態を示した要部断面図である。
【００２４】
保持レール１、２間に保持レール取付部材１０が介在している。保持レール取付部材１０は、間仕切り壁パネル３の上方に配置されている。保持レール取付部材１０は、たとえば、天井スラブ４から吊り具を介して配設された天井下地５に釘、ネジ、接着剤、粘着剤等によって固定することができる。保持レール取付部材１０は、保持レール１、２に対応してネジ孔１１、１２を有している。ネジ孔１１、１２にネジ８をねじ込むことにより保持レール１、２は、間仕切り壁パネル３の上端部の両側に沿うように配設される。
【００２５】
一方の保持レール１は固定用とされ、保持レール取付部材１０にネジ８によって取り付けられる。他方の保持レール２は、間隔調節用とされ、ネジ８のねじ込み量によって保持レール１との間隔が調節されるようになっている。
【００２６】
間仕切り壁パネル３を施工する際には、固定用の保持レール１を、ネジ８を用いて保持レール取付部材１０に固定する。この後、間仕切り壁パネル３を、一方の面材を保持レール１に接触させて配置する。この時、間仕切り壁パネル３の上端は保持レール取付部材１０に接触させることができる。間仕切り壁パネル３の高さによっては、上端が、保持レール取付部材１０との間で隙間が形成されるように位置することもあるが、一方の面材が保持レール１に接触している限り、特に問題はない。
【００２７】
次いで、他方の保持レール２を、ネジ８を用いて保持レール取付部材１０に取り付ける。ネジ８のネジ孔１２へのねじ込み量によって保持レール１、２間の間隔は調節される。ネジ８のねじ込みは、保持レール２が、間仕切り壁パネル３の他方の面材に接触するまで行う。保持レール１、２間の間隔は間仕切り壁パネル３の厚さに一致し、間仕切り壁パネル３は保持レール１、２によって挟持される。
【００２８】
本実施形態では、間隔調整用の保持レール２の取付位置をネジ８のねじ込み量によって調節することができ、保持レール１、２の間隔が調節される。このため、保持レール１、２間の間隔の調節は容易であり、間仕切り壁パネル３の厚さに応じて可変とすることができる。厚さの異なる間仕切り壁パネル３の上端部を同じ作業内容で挟持することができる。この場合、保持レール１、２と間仕切り壁パネル３との間には、段差が形成されることになるが、この段差には、たとえば、間仕切り壁パネル３に取り付けられた石膏ボード等の面材を増し貼りすることができ、外観および遮音性の向上を図ることができる。また、段差は、有効に利用することもできる。たとえば、保持レール１、２を廻り縁と兼用することにより段差の有効利用が図れ、外観が向上する。
【００２９】
天井仕上げ材９は、間仕切り壁パネル３の施工後、天井下地５に取り付けることができる。
【００３０】
なお、本実施形態では、保持レール１を固定用とし、保持レール２を間隔調節用としたが、保持レール１を間隔調節用に、保持レール２を固定用にすることも可能である。
【００３１】
図３は、本願発明の間仕切り壁パネルの固定構造の別の実施形態を示した要部断面図である。
【００３２】
間仕切り壁パネル３の上端部に凹部１３が設けられている。保持レール１、２は、凹部１３の内部に配置される。一方の保持レール１は、天井スラブ４から吊り具を介して配設された天井下地５に、たとえばネジ、ボルト等の固定具６により固定されている。保持レール１は、他方の保持レール２の対向側にネジ保持部１４を有している。保持レール２には、厚さ方向に貫通するネジ穴１５が形成されている。ネジ８は、保持レール２に形成されたネジ穴１５に螺合し、保持レール１のネジ保持部１４に保持されている。したがって、ネジ８を回すと、保持レール２がネジ８に沿って移動する。
【００３３】
間仕切り壁パネル３を施工する際には、保持レール１、２を近接させておき、凹部１３の内部に保持レール１、２が配置されるように、間仕切り壁パネル３を配置する。この時、間仕切り壁パネル３の一方の面材の裏面に保持レール１を当接させる。この状態において、ネジ８を回し、保持レール２を保持レール１から離反するように移動させる。ネジ８を回すことにより保持レール１、２間の間隔が調節される。ネジ８を回す作業は、保持レール２が、間仕切り壁パネル３の他方の面材の裏面に当接するまで行う。この時、保持レール１、２は、凹部１３内で突っ張るようになり、間仕切り壁パネル３の上端部は、保持レール１、２によって保持される。
【００３４】
本実施形態では、ネジ８を回すことにより保持レール１、２間の間隔を調節することができる。このため、保持レール１、２間の間隔の調節は容易であり、間仕切り壁パネル３の厚さに応じて可変とすることができる。厚さの異なる間仕切り壁パネル３の上端部を同じ作業内容で挟持することができる。間仕切り壁パネル３の上端部を保持する状態では、保持レール１、２は離間して配置されるため、固体伝播を防ぐことができ、遮音性が向上する。
【００３５】
天井仕上げ材９は、間仕切り壁パネル３の施工後、天井下地５に取り付けることができる。
【００３６】
なお、本実施形態では、保持レール１を天井下地５に固定し、保持レール２を移動可能にしたが、保持レール２を天井下地５に固定し、保持レール１を移動可能にしてもよい。
【図面の簡単な説明】
【００３７】
【図１】本願発明の間仕切り壁パネルの固定構造の一実施形態を示した要部断面図である。
【図２】本願発明の間仕切り壁パネルの固定構造の別の実施形態を示した要部断面図である。
【図３】本願発明の間仕切り壁パネルの固定構造の別の実施形態を示した要部断面図である。
【符号の説明】
【００３８】
１、２    保持レール
３    間仕切り壁パネル
４    天井スラブ
５    天井下地
６    固定具
７    弾性体
８    ネジ
９    天井仕上げ材
１０    保持レール取付部材
１１、１２    ネジ孔
１３    凹部
１４    ネジ保持部
１５    ネジ穴
【図１】
2007002536.tif 000003
【図２】
2007002536.tif 000004
【図３】
2007002536.tif 000005